(57)【特許請求の範囲】
【請求項１】
通信回線を介して任意の発呼相手から呼び出しを受けた際、その呼び出しに応じた呼び出し処理を行うとともに、上記発呼相手に割り当てられた識別番号を受信により取得する一方、本装置に関連付けられた複数の別の装置に連絡をとって呼び出しに応じた通知を行う通信装置であって、
上記識別番号のうち、連絡をとるべき上記別の装置を指定した特定の識別番号が記憶された記憶手段と、
上記識別信号を受信により取得すると、その識別番号が上記記憶手段に記憶された特定の識別番号であるか否かを判別する判別手段と、
上記判別手段により受信した識別番号が特定の識別番号であると判別されると、上記発呼相手からの呼び出しに際して、上記識別番号の送信を示す起動信号を受信するとともに、その起動信号の受信後に上記呼び出し処理を開始させる契機となる呼出信号を受信し、上記起動信号を受信してから上記呼出信号を受信するまでの所定期間内において、上記記憶手段で指定された上記別の装置に対してのみ当該別の装置との間で交わされる連絡信号のためのチャネルを確立するチャネル確立手段と、
上記チャネル確立手段によって、指定された上記別の装置との間にチャネルが確立された後、上記呼出信号を受信することにより、既に確立済みのチャネルを通じて上記別の装置に対してのみ連絡信号を送出する連絡信号送出手段と、を有することを特徴とする通信装置。
【請求項２】
上記呼び出し処理においては、呼出音を鳴動させる動作が行われ、上記連絡信号には、上記別の装置においても呼出音を鳴動させるための信号が含まれている、請求項１に記載の通信装置。
【請求項３】
上記呼び出し処理においては、上記識別番号を表示させる動作が行われ、上記連絡信号には、上記別の装置においても上記識別番号を表示させるための信号が含まれている、請求項１または請求項２に記載の通信装置。
【請求項４】
上記識別番号を受信により取得してから上記呼出信号を受信するまでの間、上記通信回線から一時的に開放される、請求項１ないし請求項３のいずれかに記載の通信装置。
【請求項５】
通信回線を介して任意の発呼相手から呼び出しを受けた際、その呼び出しに応じた呼び出し処理を行うとともに、上記発呼相手に割り当てられた識別番号を受信により取得する一方、本装置に関連付けられた複数の別の装置に連絡をとって呼び出しに応じた通知を行う通信装置を制御するためのプログラムを記憶した記憶媒体であって、
上記識別信号を受信により取得すると、その識別番号が、記憶手段に記憶された連絡をとるべき上記別の装置を指定した特別の識別番号であるか否かを判別する判別プログラムと、
上記判別プログラムにより受信した識別番号が特定の識別番号であると判別されると、上記発呼相手からの呼び出しに際して、上記識別番号の送信を示す起動信号を受信するとともに、その起動信号の受信後に上記呼び出し処理を開始させる契機となる呼出信号を受信し、上記起動信号を受信してから上記呼出信号を受信するまでの所定期間内において、上記記憶手段で指定された上記別の装置に対してのみ当該別の装置との間で交わされる連絡信号のためのチャネルを確立するためのチャネル確立プログラムと、
上記チャネル確立プログラムに基づいて、指定された上記別の装置との間にチャネルが確立された後、上記呼出信号を受信することにより、既に確立済みのチャネルを通じて上記別の装置に対してのみ連絡信号を送出するための連絡信号送出プログラムとを含むプログラムを記憶したことを特徴とする記憶媒体。
【発明の詳細な説明】
【０００１】
【発明の属する技術分野】
本発明は、いわゆるナンバーディスプレイサービスが提供される電話回線などにおいて、たとえばコードレス親子電話などとして利用される通信装置、およびその通信装置を制御するためのプログラムを記憶した記憶媒体に関する。
【０００２】
【従来の技術】
たとえば最近の電話装置においては、多種多様な機能が付加されており、その機能の一つに、任意の発呼相手から呼び出しがあった場合、公衆電話回線を通じてその発呼相手に関する電話番号を識別番号として取得し、その識別番号を表示することができる、いわゆるナンバーディスプレイ機能を備えたものがある。このナンバーディスプレイ機能が動作する際、これまでの受信動作とは異なり、電話装置は、まず最初に公衆電話回線を介して本装置である受信端末を起動させる起動信号を受信し、それに続いて送信されてくる識別番号を受信により取得している。さらにその後、一時的に公衆電話回線から開放された状態となり、それから少しの時間を経て通常の呼出信号を受信することで呼出音などの鳴動が開始されるものとされている。
【０００３】
一方、昨今において普及されているコードレス親子電話においても、上記ナンバーディスプレイサービスに対応したものがあり、子機側で識別番号の表示などを可能とした機種もある。この種のコードレス親子電話では、通常の呼出信号を親機側で受信した後、その親機と子機との間で連絡信号を交わすためのチャネルが確立され、そうして確立されたチャネルを通じて親機側から子機側に所定の信号を送出して呼出音を鳴動させるといったシーケンスが組まれている。なお、ここでいうチャネルとは、無線による通信路であって、具体的には、親機から子機の方向に用いる無線周波数、および子機から親機の方向に用いる無線周波数を一対としたものをいう。
【０００４】
【発明が解決しようとする課題】
しかし、上記従来のコードレス親子電話では、ナンバーディスプレイ機能に基づいて動作する場合、このナンバーディスプレイに特有とされる起動信号を受信した後、呼出信号を受信するまで所定時間を経過しなければ、親子間でチャネルを確立することができず、呼出信号を受信してからチャネルを確立したのでは、子機側において呼出音の鳴動が短時的に遅れるという問題があった。
【０００５】
本発明は、上記の点に鑑みて提案されたものであって、親子形態で使用される場合において、呼び出し時における子機側の動作をできる限り速やかに行わせることができる通信装置、およびその通信装置を制御するためのプログラムを記憶した記憶媒体を提供することを目的とする。
【０００６】
【課題を解決するための手段】
上記目的を達成するために、請求項１に記載した発明の通信装置は、通信回線を介して任意の発呼相手から呼び出しを受けた際、その呼び出しに応じた呼び出し処理を行うとともに、上記発呼相手に割り当てられた識別番号を受信により取得する一方、本装置に関連付けられた複数の別の装置に連絡をとって呼び出しに応じた通知を行う通信装置であって、上記識別番号のうち、連絡をとるべき上記別の装置を指定した特定の識別番号が記憶された記憶手段と、上記識別信号を受信により取得すると、その識別番号が上記記憶手段に記憶された特定の識別番号であるか否かを判別する判別手段と、上記判別手段により受信した識別番号が特定の識別番号であると判別されると、上記発呼相手からの呼び出しに際して、上記識別番号の送信を示す起動信号を受信するとともに、その起動信号の受信後に上記呼び出し処理を開始させる契機となる呼出信号を受信し、上記起動信号を受信してから上記呼出信号を受信するまでの所定期間内において、上記記憶手段で指定された上記別の装置に対してのみ当該別の装置との間で交わされる連絡信号のためのチャネルを確立するチャネル確立手段と、上記チャネル確立手段によって、指定された上記別の装置との間にチャネルが確立された後、上記呼出信号を受信することにより、既に確立済みのチャネルを通じて上記別の装置に対してのみ連絡信号を送出する連絡信号送出手段と、を有することを特徴としている。
【０００７】
このような通信装置によれば、本装置および複数の別の装置をそれぞれ親機、子機として使用する場合、起動信号を受信してから呼出信号を受信するまでの所定期間内において、親子間で連絡信号を交わすためのチャネルが確立され、その後、呼出信号を受信した直後にチャネルを通じて親機側の本装置から子機となる別の装置にただちに連絡信号が送出されるので、その連絡信号を媒介として親機側の動作をほとんど同時に子機側に伝えることができ、発呼相手からの呼び出し時における子機側の動作をできる限り速やかに行わせることができる。また、特定の識別番号を有する発呼相手から呼び出しを受けた場合、その識別番号に指定された別の装置のみに対して本装置から連絡信号が送出され、その連絡信号を媒介として本装置の動作をほとんど同時に指定された別の装置に伝えることができるので、別の装置として複数の子機が存在する環境などにおいて発呼相手から呼び出しを受けた際、指定された子機側の動作をできる限り速やかに行わせることができる。
【０００８】
【０００９】
【００１０】
また、請求項２に記載した発明の通信装置は、請求項１に記載の通信装置であって、上記呼び出し処理においては、呼出音を鳴動させる動作が行われ、上記連絡信号には、上記別の装置においても呼出音を鳴動させるための信号が含まれている。
【００１１】
このような通信装置によれば、請求項１に記載の通信装置による効果に加えて、呼出信号を受信すると、親機側となる本装置において呼出音の鳴動が始まるとともに、子機側となる別の装置においても連絡信号に基づいて呼出音の鳴動が開始されるので、親子双方における呼出音のタイミングがほぼ一致し、呼出音鳴動の同期を図ることができる。
【００１２】
また、請求項３に記載した発明の通信装置は、請求項１または請求項２に記載の通信装置であって、上記呼び出し処理においては、上記識別番号を表示させる動作が行われ、上記連絡信号には、上記別の装置においても上記識別番号を表示させるための信号が含まれている。
【００１３】
このような通信装置によれば、請求項１または請求項２に記載の通信装置による効果に加えて、呼出信号を受信すると、親機側となる本装置において識別番号の表示が始まるとともに、子機側となる別の装置においても連絡信号に基づいて識別番号の表示が開始されるので、親子双方における表示のタイミングがほぼ一致し、識別番号表示の同期を図ることができる。
【００１４】
さらに、請求項４に記載した発明の通信装置は、請求項１ないし請求項３のいずれかに記載の通信装置であって、上記識別番号を受信により取得してから上記呼出信号を受信するまでの間、上記通信回線から一時的に開放される。
【００１５】
このような通信装置によれば、請求項１ないし請求項３のいずれかに記載の通信装置による効果に加えて、識別番号を受信により取得してから呼出信号を受信するまでの間、通信回線から一時的に開放されるので、その間にチャネルを確立して別の装置に連絡をとるための準備が調えられ、空き時間を利用した効率的な運用を図ることができる。
【００１６】
【００１７】
【００１８】
さらに、請求項５に記載した発明の記憶媒体は、通信回線を介して任意の発呼相手から呼び出しを受けた際、その呼び出しに応じた呼び出し処理を行うとともに、上記発呼相手に割り当てられた識別番号を受信により取得する一方、本装置に関連付けられた複数の別の装置に連絡をとって呼び出しに応じた通知を行う通信装置を制御するためのプログラムを記憶した記憶媒体であって、上記識別信号を受信により取得すると、その識別番号が、記憶手段に記憶された連絡をとるべき上記別の装置を指定した特別の識別番号であるか否かを判別する判別プログラムと、上記判別プログラムにより受信した識別番号が特定の識別番号であると判別されると、上記発呼相手からの呼び出しに際して、上記識別番号の送信を示す起動信号を受信するとともに、その起動信号の受信後に上記呼び出し処理を開始させる契機となる呼出信号を受信し、上記起動信号を受信してから上記呼出信号を受信するまでの所定期間内において、上記記憶手段で指定された上記別の装置に対してのみ当該別の装置との間で交わされる連絡信号のためのチャネルを確立するためのチャネル確立プログラムと、上記チャネル確立プログラムに基づいて、指定された上記別の装置との間にチャネルが確立された後、上記呼出信号を受信することにより、既に確立済みのチャネルを通じて上記別の装置に対してのみ連絡信号を送出するための連絡信号送出プログラムとを含むプログラムを記憶したことを特徴としている。
【００１９】
このような記憶媒体によれば、記憶されたプログラムに基づいてＣＰＵを動作させることにより、請求項１に記載の通信装置の動作を実現することができる。
【００２０】
【発明の実施の形態】
以下、本発明の好ましい実施の形態について図面を参照して具体的に説明する。
【００２１】
図１は、本発明にかかる通信装置をファクシミリ通信装置として使用する一実施形態を説明するために示した説明図であって、この図に示すように、本発明にかかるファクシミリ通信装置Ａは、親子形態で使用される、いわゆるコードレス親子電話の親機としての機能を備えたものであって、この通信装置Ａには、無線によって音声信号などの各種信号を送受信可能な複数の子機Ｂ１〜Ｂ５が付属されている。また、通信装置Ａは、公衆電話回線Ｎに接続された状態とされており、この公衆電話回線Ｎにおいては、いわゆるナンバーディスプレイサービスが提供されている。なお、子機Ｂとしては、特に５台に限ることはなく、それより多少の台数であっても勿論良い。
【００２２】
図２は、親機としての通信装置Ａと子機Ｂの回路構成を示した回路ブロック図であって、この図に示すように、通信装置Ａは、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、表示部１４、および無線送受信部１５を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、読取部１１、記録部１２、操作部１３、表示部１４、および無線送受信部１５が接続されている。ＮＣＵ２には、公衆電話回線Ｎが接続されている。
【００２３】
ＣＰＵ１は、通信装置Ａ全体を制御する。ＮＣＵ２は、公衆電話回線Ｎに接続されて網制御を行う。なお、ＮＣＵ２には、図示省略するが送受話器や呼出時に呼出音を鳴動するための呼出ベルが備えられている。ＲＡＭ３は、充電電池などにより電源バックアップが施されており、ＣＰＵ１の作業領域や各種データなどの記録領域を提供する。モデム４は、ファクシミリデータの変調や復調などを行う一方、後述するＩＤ信号を復調する機能を有している。ＲＯＭ５は、各種のプログラムや設定値などのデータを記憶している。ＥＥＰＲＯＭ６は、各種のフラグや設定データなどを記憶する。ゲートアレイ７は、ＣＰＵ１の入出力インターフェースとして機能する。コーデック８は、ファクシミリデータの符号化や復号化を行う。ＤＭＡＣ９は、ＲＡＭ３へのデータの書き込みや読み出しを行う。
【００２４】
読取部１１は、光源やイメージセンサなどを備えており、読取原稿から画像を読み取って画像信号を出力する。記録部１２は、たとえばインクジェット方式などの印刷装置を備えており、記録用紙上に印刷画像を形成する。操作部１３は、キースイッチ群を備えており、使用者の入力操作に応じた入力信号を出力する。表示部１４は、各種の文字情報や後述する識別番号などを表示するためのＬＣＤなどを備えている。無線送受信部１５は、子機Ｂとの間で無線によって各種信号を送受信するための回路やアンテナなどを備えており、親機Ａと子機Ｂとの間で無線通信インターフェースとして機能する。
【００２５】
なお、子機Ｂは、親機Ａと同様の構成を有するものであるが、公衆電話回線Ｎに直接接続するための手段や、ファクシミリ機能を有さないものであり、主に通話のために利用されるものである。そのため、子機Ｂにおいては、音声コーデック２６に送受話器２６ａが接続された構成を有しており、その他の構成においても親機Ａとほぼ同様の構成を有することから、その説明を省略する。
【００２６】
本発明の要点について説明すると、通信装置Ａは、任意の発呼相手から呼び出しがあった場合、その呼び出しに応じて呼出音を鳴動させるとともに、子機Ｂに対して無線による連絡信号を送出することで同様に呼出音を鳴動させるものである。また、通信装置Ａは、公衆電話回線Ｎを通じて発呼相手に関する通知情報として発信元電話番号（以下、「識別番号」という）を取得し、その識別番号を表示部１４にて表示することができる、いわゆるナンバーディスプレイ機能を備えたものである。この識別番号は、子機Ｂにおいても表示可能とされている。さらに、通信装置Ａにおいては、特定の識別番号（以下、「特定番号」という）に応じて連絡をとるべき各子機Ｂ１〜Ｂ５を指定することが可能であり、発呼相手からの呼び出しに際して特定番号が取得された場合には、その特定番号に指定された子機Ｂのみが呼出音を鳴動させる。このような特定番号に対して子機Ｂを指定した情報は、通信装置ＡのＥＥＰＲＯＭ６に記憶されている。
【００２７】
図３は、呼び出し時における回線、親子間の信号の流れを示したタイミングチャートであって、この図に基づいて具体的に説明すると、公衆電話回線Ｎを介して任意の発呼相手から呼び出しを受けた際、まず最初に通信装置Ａは、ナンバーディスプレイサービスに伴う起動信号Ｓ１を受信する。次いで、通信装置Ａは、ＩＤ信号Ｓ２を受信することにより識別番号を取得するとともに、そのＩＤ信号Ｓ２の受信完了を回線上の交換機などに通知する（Ｓ３）。さらにそれから短い時間ｔを経た後、通信装置Ａは、呼出音の鳴動などを開始させる呼出信号Ｓ４を受信し、その呼出信号Ｓ４の受信直後などに呼出音を鳴動させる。ここで、通信装置ＡのＣＰＵ１は、起動信号Ｓ１を受信してから呼出信号Ｓ４を受信するまでの所定期間内において、識別番号を取得した直後に任意に指定された子機Ｂとの間で連絡信号を交わすためのチャネルを確立する（Ｓ５）。ここで、チャネルとは、無線による通信路であって、具体的には、親機Ａから子機Ｂの方向に用いる無線周波数、および子機Ｂから親機Ａの方向に用いる無線周波数を一対としたものをいい、このようなチャネルは、親機である通信装置Ａの無線送受信部１５と、各子機Ｂ１〜Ｂ５における無線送受信部２９それぞれとの間に形成されるものである。そうしてチャネルが確立された後、通信装置ＡのＣＰＵ１は、起動信号Ｓ１に次いで識別番号を取得した後、呼出信号Ｓ４を受信することにより、既に確立済みのチャネルを通じて各子機Ｂ１〜Ｂ５に連絡信号Ｓ６を送出する。この連絡信号Ｓ６には、子機Ｂにおいて呼出音の鳴動を開始させるための信号や、識別番号を表示させるための信号が含まれており、連絡信号Ｓ６を受信した子機Ｂにおいては、直ちに呼出音の鳴動や識別番号の表示などが行われる。
【００２８】
すなわち、親機としての通信装置ＡのＣＰＵ１は、発呼相手からの呼び出しに際して、識別番号の送信を示す起動信号を受信するとともに、その起動信号の受信後に呼び出し処理を開始させる契機となる呼出信号を受信し、起動信号を受信してから呼出信号を受信するまでの所定期間内において、別の装置との間で交わされる連絡信号のためのチャネルを確立するチャネル確立手段を実現し、また、ＣＰＵ１は、チャネル確立手段によって別の装置との間にチャネルが確立された後、呼出信号を受信することにより、既に確立済みのチャネルを通じて別の装置に連絡信号を送出する連絡信号送出手段を実現している。
【００２９】
また、通信装置ＡのＲＯＭ５は、通信回線を介して任意の発呼相手から呼び出しを受けた際、その呼び出しに応じた呼び出し処理を行うとともに、上記発呼相手に割り当てられた識別番号を受信により取得する一方、本装置に関連付けられた別の装置に連絡をとって呼び出しに応じた通知を行う通信装置を制御するためのプログラムを記憶した記憶媒体であって、上記発呼相手からの呼び出しに際して、上記識別番号の送信を示す起動信号を受信するとともに、その起動信号の受信後に上記呼び出し処理を開始させる契機となる呼出信号を受信し、上記起動信号を受信してから上記呼出信号を受信するまでの所定期間内において、上記別の装置との間で交わされる連絡信号のためのチャネルを確立するためのチャネル確立プログラムと、上記チャネル確立プログラムに基づいて上記別の装置との間にチャネルが確立された後、上記呼出信号を受信することにより、既に確立済みのチャネルを通じて上記別の装置に連絡信号を送出するための連絡信号送出プログラムとを含むプログラムを記憶した記憶媒体を実現している。
【００３０】
次に、上記構成を有する通信装置Ａの呼び出し時における動作について図４を参照して説明する。
【００３１】
図４は、主に呼び出し時における通信装置Ａの処理手順を示したフローチャートであって、この図に示すように、まず、ＣＰＵ１は、公衆電話回線Ｎを通じて任意の発呼相手から起動信号を受信したか否かを判断している（Ｓ１０）。
【００３２】
起動信号を受信した場合（Ｓ１０：ＹＥＳ）、ＣＰＵ１は、その起動信号に続いてＩＤ信号を受信したか否かを判断する（Ｓ１１）。このＩＤ信号とは、発呼相手に関する通知情報としてその相手先の電話番号を内容とした信号であって、その信号に含まれる内容は、モデム４によりデジタルデータに変換可能とされている。
【００３３】
そうしてＩＤ信号を受信した場合（Ｓ１１：ＹＥＳ）、ＣＰＵ１は、一時的に公衆電話回線Ｎを閉結させた状態とし（Ｓ１２）、ＮＣＵ２を介して取り込んだＩＤ信号をモデム４により復調させることで発呼相手の電話番号を識別番号として取得する（Ｓ１３）。こうして取得された識別番号は、一時的にＲＡＭ３などに記憶され、ＣＰＵ１は、ＩＤ信号を受信して識別番号を取得したことを公衆電話回線Ｎ上の交換機などに通知する。
【００３４】
識別番号を取得したＣＰＵ１は、この呼び出し処理が開始される前の状態と同様に、公衆電話回線Ｎから開放された状態とする（Ｓ１４）。ここまでのＳ１１からＳ１４までの動作は、使用者から見て非常に短いサイクルタイムで行われる。
【００３５】
その後、ＣＰＵ１は、取得した識別番号を表示部１４にて表示させ（Ｓ１５）、さらにその直後、その識別番号について指定された子機Ｂがあるか否かをＥＥＰＲＯＭ６に記憶された情報に基づいて判断する（Ｓ１６）。
【００３６】
指定された子機Ｂがある場合（Ｓ１６：ＹＥＳ）、ＣＰＵ１は、その指定された子機Ｂのみについてチャネルを確立する処理を行う（Ｓ１７）。この指定された子機Ｂについてのチャネル確立処理とは、先述したように、指定された子機Ｂとの間で連絡信号を交わすために無線によるリンクを形成する処理であって、そうしてチャネルが確立された状態では、親子間において送受信を直ちに行うことができる。ここまでのＳ１５からＳ１７までの動作は、使用者から見て非常に短いサイクルタイムで行われる。
【００３７】
チャネルを確立した後、ＣＰＵ１は、ＩＤ信号に続いて呼出信号を受信したか否かを判断する（Ｓ１８）。この呼出信号とは、先述したように、呼出音の鳴動などを開始させるために交換機などから断続的に送信されてくるトーン信号であって、Ｓ１３において識別番号を取得してから呼出信号が送信されてくるまでの時間間隔には、何秒かの余裕がある。
【００３８】
そうして呼出信号を受信した場合（Ｓ１８：ＹＥＳ）、ＣＰＵ１は、チャネルが既に確立された子機Ｂに対して連絡信号を送出する（Ｓ１９）。この連絡信号とは、先述したように、子機Ｂにおいて呼出音の鳴動を開始させるための信号や、識別番号を表示させるための信号を含んだものである。
【００３９】
連絡信号を子機Ｂに対して送出した後、ＣＰＵ１は、親機となる本装置Ａにおいて呼出音を鳴動させる（Ｓ２０）。この際、子機Ｂにおいても連絡信号を受信することで呼出音の鳴動が開始されるとともに、識別番号が表示され、親子両機ともに呼出音の鳴動がほぼ同時に開始されることとなる。
【００４０】
続いて、呼出音を鳴動させたＣＰＵ１は、相手先から一方的に回線切断要求を内容とした切断信号を受信したか否かを判断する（Ｓ２１）。
【００４１】
相手先から切断信号を受信しない場合（Ｓ２１：ＮＯ）、ＣＰＵ１は、送受話器などが使用者により持ち上げられることによりオフフックされたか否かを判断する（Ｓ２２）。この際、ＣＰＵ１は、子機Ｂ側から送信されてくるオフフック信号に基づいて、子機Ｂにおいてオフフックされたか否かも判断する。
【００４２】
オフフックされた場合（Ｓ２２：ＹＥＳ）、ＣＰＵ１は、回線を閉結させるとともに（Ｓ２３）、それとほぼ同時に呼出音の鳴動や識別番号の表示などの動作を停止させる処理を行う（Ｓ２４）。これにより、親機である本装置Ａ、あるいは子機Ｂを用いて発呼相手との通話処理が行われることとなる。
【００４３】
以上のような処理動作中、ＣＰＵ１は、通話を終了した使用者によって送受話器などが元のセット位置に置かれることでオンフックされたか否かを判断している（Ｓ２５）。
【００４４】
オンフックされた場合（Ｓ２５：ＹＥＳ）、ＣＰＵ１は、公衆電話回線Ｎから開放させた状態とし（Ｓ２６）、この呼び出し処理にかかるプログラムの実行を終了して再び元の待機状態となる。
【００４５】
Ｓ２５において、オンフックされない場合（Ｓ２０：ＮＯ）、ＣＰＵ１は、繰り返しオンフックされるまで通話処理を続行させる。
【００４６】
Ｓ２２において、オフフックされない場合（Ｓ２２：ＮＯ）、ＣＰＵ１は、Ｓ２１に戻って発呼相手からの切断信号を受信するまで繰り返し呼出音の鳴動や識別番号の表示を続行させる。
【００４７】
Ｓ２１において、発呼相手から切断信号を受信した場合（Ｓ２１：ＹＥＳ）、ＣＰＵ１は、Ｓ２４と同様に呼出音の鳴動や識別番号の表示などの動作を停止させる処理を行い（Ｓ２７）、この呼び出し処理にかかるプログラムの実行を終了して再び元の待機状態となる。
【００４８】
Ｓ１８において、呼出信号を受信しない場合（Ｓ１８：ＮＯ）、ＣＰＵ１は、一定のサイクルタイムでＳ１８の処理を繰り返し実行する。なお、この繰り返し処理中に発呼相手からの切断信号を受信した場合には、Ｓ２１のＹＥＳの場合と同様に、動作停止処理を経て呼び出し処理を終了する。
【００４９】
Ｓ１６において、指定された子機Ｂがない場合（Ｓ１６：ＮＯ）、ＣＰＵ１は、全子機Ｂ１〜Ｂ５についてチャネルを確立する処理を行う（Ｓ２８）。この全子機Ｂ１〜Ｂ５についてのチャネル確立処理とは、全子機Ｂ１〜Ｂ５との間で連絡信号を交わすために無線によるリンクを形成する処理であって、Ｓ１７と同様にチャネルを確立した後は、Ｓ１８に移行することとなる。
【００５０】
Ｓ１１において、ＩＤ信号を受信しない場合（Ｓ１１：ＮＯ）、ＣＰＵ１は、一定のサイクルタイムでＩＤ信号を受信するまでＳ１１の処理を繰り返し実行する。なお、ＩＤ信号は、通常、起動信号に続いて交換機などから送信されてくるものである。
【００５１】
Ｓ１０において、起動信号を受信しない場合（Ｓ１０：ＮＯ）、ＣＰＵ１は、Ｓ１８と同様に呼出信号を受信したか否かを判断する（Ｓ２９）。
【００５２】
Ｓ２９において、呼出信号を受信した場合（Ｓ２９：ＹＥＳ）、ＣＰＵ１は、Ｓ２８と同様に全子機Ｂに対してチャネルを確立する処理を行い（Ｓ３０）、その後Ｓ１９に移行する。つまり、起動信号を受信することなく最初に呼出信号を受信した場合には、ナンバーディスプレイサービスによる識別番号が非通知として呼び出しを受けた状態となる。
【００５３】
Ｓ２９において、呼出信号を受信しない場合（Ｓ２９：ＮＯ）、ＣＰＵ１は、このＳ１０とＳ２９の判断を繰り返し行うことで起動信号または呼出信号を受信するまで待機状態を続ける。
【００５４】
以上のＣＰＵ１による一連の処理動作により、識別番号を取得してから呼出信号を受信するまでの空き時間において、子機Ｂに対してチャネルを確立することができ、そのような空き時間を有効に活用しつつ、子機Ｂにおける呼出音鳴動などの動作が早期に開始されることとなる。
【００５５】
したがって、上記構成、動作を有する通信装置Ａによれば、本装置Ａを親機として親子形態で使用する場合、起動信号を受信してから呼出信号を受信するまでの所定期間内において、親子間で連絡信号を交わすためのチャネルが確立され、その後、呼出信号の受信直後にチャネルを通じて親機側の本装置Ａから子機となる別の装置Ｂに連絡信号が送出されるので、その連絡信号を媒介として親機Ａ側の動作をほとんど同時に子機Ｂ側に伝えることができ、発呼相手からの呼び出し時における子機Ｂ側の動作、つまり呼出音鳴動などの動作をできる限り速やかに行わせることができる。
【００５６】
なお、上記実施形態においては、識別番号を取得した後にチャネルを確立するとしたが、呼出信号を受信する前であれば、起動信号の受信直後などにチャネルを確立するとしてもよい。
【００５７】
また、親機と子機は、互いに無線によって送受信可能に構成されているが、特に無線に限ることはなく、有線形態であっても勿論よい。
【００５８】
さらに、親機においては、呼出信号を受信する前に識別番号を表示するものとしたが、呼出信号を受信後に識別番号を表示させる構成としてもよい。
【００５９】
【発明の効果】
以上説明したように、請求項１に記載した発明の通信装置によれば、本装置および別の装置をそれぞれ親機、子機として使用する場合、起動信号を受信してから呼出信号を受信するまでの所定期間内において、親子間で連絡信号を交わすためのチャネルが確立され、その後、呼出信号を受信した直後にチャネルを通じて親機側の本装置から子機となる別の装置にただちに連絡信号が送出されるので、その連絡信号を媒介として親機側の動作をほとんど同時に子機側に伝えることができ、発呼相手からの呼び出し時における子機側の動作をできる限り速やかに行わせることができる。また、特定の識別番号を有する発呼相手から呼び出しを受けた場合、その識別番号に指定された別の装置のみに対して本装置から連絡信号が送出され、その連絡信号を媒介として本装置の動作をほとんど同時に指定された別の装置に伝えることができるので、別の装置として複数の子機が存在する環境などにおいて発呼相手から呼び出しを受けた際、指定された子機側の動作をできる限り速やかに行わせることができる。
【００６０】
【００６１】
また、請求項２に記載した発明の通信装置によれば、請求項１に記載の通信装置による効果に加えて、呼出信号を受信すると、親機側となる本装置において呼出音の鳴動が始まるとともに、子機側となる別の装置においても連絡信号に基づいて呼出音の鳴動が開始されるので、親子双方における呼出音のタイミングがほぼ一致し、呼出音鳴動の同期を図ることができる。
【００６２】
また、請求項３に記載した発明の通信装置によれば、請求項１または請求項２に記載の通信装置による効果に加えて、呼出信号を受信すると、親機側となる本装置において識別番号の表示が始まるとともに、子機側となる別の装置においても連絡信号に基づいて識別番号の表示が開始されるので、親子双方における表示のタイミングがほぼ一致し、識別番号表示の同期を図ることができる。
【００６３】
さらに、請求項４に記載した発明の通信装置によれば、請求項１ないし請求項３のいずれかに記載の通信装置による効果に加えて、識別番号を受信により取得してから呼出信号を受信するまでの間、通信回線から一時的に開放されるので、その間にチャネルを確立して別の装置に連絡をとるための準備が調えられ、空き時間を利用した効率的な運用を図ることができる。
【００６４】
【００６５】
さらに、請求項５に記載した発明の記憶媒体によれば、記憶されたプログラムに基づいてＣＰＵを動作させることにより、請求項１に記載の通信装置の動作を実現することができる。
【図面の簡単な説明】
【図１】  本発明にかかる通信装置をファクシミリ通信装置として使用する一実施形態を説明するために示した説明図である。
【図２】  親機としての通信装置と子機の回路構成を示した回路ブロック図である。
【図３】  呼び出し時における回線、親子間の信号の流れを示したタイミングチャートである。
【図４】  主に呼び出し時における通信装置の処理手順を示したフローチャートである。
【符号の説明】
１              ＣＰＵ
２              ＮＣＵ
３              ＲＡＭ
４              モデム
５              ＲＯＭ
６              ＥＥＰＲＯＭ
７              ゲートアレイ
８              コーデック
９              ＤＭＡＣ
１１            読取部
１２            記録部
１３            操作部
１４            表示部
１５            無線送受信部
Ａ              ファクシミリ通信装置（親機）
Ｂ，Ｂ１〜Ｂ５  子機
Ｎ              公衆電話回線
【図１】
0003674342.tif 000002
【図２】
0003674342.tif 000003
【図３】
0003674342.tif 000004
【図４】
0003674342.tif 000005